(57)【特許請求の範囲】
【請求項１】
少なくとも一つの開口部を有し、内部に所定の液体が収容される容器本体と、有底筒体形状を呈し、その筒状部内に該容器本体の開口部が挿入されて、該開口部を覆蓋する蓋体とを備えた眼科用容器において、
前記容器本体の開口部外周面及び前記蓋体の筒状部内周面の何れか一方に、前記容器本体と蓋体とを係合する係合突起と、当接突起とを設ける一方、何れか他方に、開口端から前記挿入方向に延びる導入案内面と、更に該導入案内面の終端より周方向に沿って延びる固定案内面とからなる係止部を設け、
前記容器本体の開口部に対する前記蓋体の挿入並びにそれらの相対的回動によって、前記係合突起を該係止部にて案内せしめて、その固定案内面に係合させることにより、該蓋体を固定せしめるようにすると共に、
前記係止部の設けられた前記何れか他方の側に、前記挿入方向に延びる所定長さの爪部材を周方向乃至は径方向に撓み得るように設けて、
前記相対的回動によって該爪部材が前記当接突起に当接し、そしてその撓み変形によって該当接突起を乗り越えるようにしたことを特徴とする眼科用容器。
【請求項２】
前記係合突起及び当接突起が前記容器本体の開口部外周面に形成されている一方、前記係止部が前記蓋体の筒状部内周面に形成されている請求項１に記載の眼科用容器。
【請求項３】
前記係合突起及び当接突起が、一つの一体的な共通突起にて構成されている請求項１または請求項２に記載の眼科用容器。
【請求項４】
前記共通突起が略Ｔ字形状の平面形態を有し、そのＴ字の頭部が前記係合突起として、またＴ字の脚部が前記当接突起として、それぞれ機能している請求項３に記載の眼科用容器。
【請求項５】
前記共通突起の略Ｔ字の頭部が、前記相対的回動方向の前方側の角部において面取りされている請求項４に記載の眼科用容器。
【請求項６】
前記係止部が、その固定案内面の終端において、前記挿入方向に立ち上がるストッパ面を有し、該ストッパ面に対する前記係合突起若しくは共通突起の当接によって前記容器本体と前記蓋体との間の相対的回動が阻止される請求項１乃至５の何れかに記載の眼科用容器。
【請求項７】
前記爪部材が音出し用爪部材と節度感用爪部材とから構成され、該音出し用爪部材が、それに対応して設けられた一の当接突起に対して当接して変形し、そしてそれを乗り越えたときに、所定の打音を発生するものであり、また前記節度感用爪部材が、それに対応して設けられた他の一つの当接突起に対して当接し、変形しつつ、それを乗り越える際に所定の抵抗感を与えるものである請求項１乃至６の何れかに記載の眼科用容器。
【請求項８】
前記爪部材が、前記蓋体の底部外面側に取り付けられる固定部と該固定部から一体的に延び、該蓋体の底部を貫通して筒状部内に所定長さ突入せしめられる爪部とから構成されている請求項１乃至７の何れかに記載の眼科用容器。
【請求項９】
前記爪部材が、前記蓋体の底部外面側に取り付けられるリング状の固定部と、該固定部のリング形状の所定位置からそれぞれ一体的に延び、該蓋体の底部を貫通して筒状部内にそれぞれ所定長さ突入せしめられる音出し用爪部及び節度感用爪部とから構成され、且つかかる音出し用爪部が、それに対応して設けられた一の当接突起に対して当接して変形し、そしてそれを乗り越えたときに、所定の打音を発生するものであり、また前記節度感用爪部が、それに対応して設けられた他の一つの当接突起に対して当接し、変形しつつ、それを乗り越える際に所定の抵抗感を与えるものである請求項１乃至８の何れかに記載の眼科用容器。
【請求項１０】
前記爪部材が、前記蓋体の底部を貫通して筒状部内に嵌入せしめられる補助爪部を更に備え、該補助爪部の筒状部内周面に対する密接により、該爪部材の固定が行なわれている請求項８または請求項９に記載の眼科用容器。
【請求項１１】
前記蓋体が、その底部内側において所定のパッキンを備え、該蓋体の前記容器本体開口部の取付時に該開口部の端面が該パッキンに当接せしめられてシールされるようになっている請求項１乃至１０の何れかに記載の眼科用容器。
【請求項１２】
前記蓋体が、所定のコンタクトレンズを保持して、前記容器本体の開口部から内部に挿入せしめられるレンズ保持手段を備え、該容器本体がコンタクトレンズ収納用として用いられる請求項１乃至１１の何れかに記載の眼科用容器。
【請求項１３】
前記容器本体が所定長さの筒体形状を呈し、その両端が開口部とされて、それら開口部が前記蓋体にてそれぞれ覆蓋せしめられるように構成されている請求項１乃至１２の何れかに記載の眼科用容器。
【請求項１４】
前記容器本体が、前記液体として、所定のコンタクトレンズ用液剤を収容するものであり、且つ該容器本体の開口部の先端部位が、基部側よりも小径の液体吐出口として構成されている請求項１乃至１１の何れかに記載の眼科用容器。
【請求項１５】
前記容器本体が所定長さの筒体形状を呈し、その一端側が開口部とされて、前記蓋体が取り付けられるように構成されていると共に、その他端側に、該容器本体の容器壁の一部を構成する状態で配され、押圧操作による変形と弾性材料の弾性力に基づく原形状への復元による変形とによって、該容器本体の内容積を可逆的に増減変化させる吐出操作手段を設けた請求項１４に記載の眼科用容器。
【発明の詳細な説明】
【０００１】
【技術分野】
本発明は、目薬容器やコンタクトレンズ収納容器、コンタクトレンズ用液剤容器等の眼科用容器に係り、特に蓋体を容器本体にワンタッチで簡便に着脱することが出来、しかも蓋体を容器本体に固定して該容器本体の開口部を閉塞せしめる際に、該開口部の閉塞状態が確実に得られたことを使用者に対して明確に認識させ得るようにした、眼科用容器の改良された構造に関するものである。
【０００２】
【背景技術】
一般に、目薬容器やコンタクトレンズ収納容器、或いはコンタクトレンズ用の洗浄液、消毒液、保存液等のコンタクトレンズ用液剤が収容されるコンタクトレンズ用液剤容器等といった眼科用容器は、少なくとも１つの開口部を有する容器本体と有底筒体形状を呈する蓋体とを備えており、その容器本体の内部に目薬やコンタクトレンズ用液剤等の液体が、単品で、或いはコンタクトレンズと共に収容されるようになっている一方、該容器本体の開口部が、該蓋体にて、開閉自在に覆蓋されるようになっている。
【０００３】
ところで、そのような眼科用容器の殆どのものにあっては、容器本体の開口部を覆蓋する蓋体として、該開口部の周辺部位に設けられたネジ山に螺合せしめられることにより該容器本体に固定される、所謂ネジ固定式のものが、採用されている。
【０００４】
それ故、従来の眼科用容器においては、容器本体の開口部を開閉するために、蓋体の容器本体に対する螺合を、一々、緩めたり、締め付けたりして、蓋体を容器本体から脱着しなければならず、その操作が非常に面倒であった。しかも、かかる眼科用容器にあっては、蓋体を容器本体に締めつけて固定する際に、その固定操作の完了が、蓋体の締付け固さの度合いのみによって判断されるがために、容器本体の開口部において、液漏れのない確実な閉塞状態が得られたかどうかを明確に判別することが難しく、往々にして、蓋体が過度に締め付けられることとなり、その結果、使用期間の経過に伴って、容器本体の開口部と蓋体との間に設けられるパッキンに摩耗やヘタリ等が生じて、液密性が低下してしまうといった恐れがあった。また、特に容器本体と蓋体とにそれぞれ角部が設けられ、全体として所定の略角柱形状となるように構成されているものにおいて、パッキンに、そのような摩耗やヘタリ等が生ぜしめられた場合には、蓋体を容器本体に締め付けて固定した際に、それら蓋体と容器本体の各々の角部が一致せず、その外観が著しく損なわれてしまうといった問題をも招く恐れがあったのである。
【０００５】
尤も、実開平４−７１６４７号公報には、角形形状を呈する容器本体と、それに対応する角形形状とされた蓋体とを備えたコンタクトレンズ収納容器において、１つのストッパを有する外蓋体の内側に、２つのストッパが所定の間隔をおいて対向するように設けられた内蓋体を、該２つのストッパが該外蓋体の１つのストッパを挟んで位置するように遊嵌して、蓋体を構成し、該外蓋体の１つのストッパを該内蓋体の２つのストッパのうちの何れか一方に係合させた状態で、該蓋体を前記容器本体に螺合せしめ、また該外蓋体の１つのストッパを該内蓋体の他方のストッパに係合させた状態で、該蓋体の該容器本体への螺合を緩めることによって、該蓋体を該容器本体に対して着脱せしめて、該容器本体の開口部を開閉し得るようにした構造のものが開示されており、更にかくの如き構造によれば、内蓋体を容器本体に固く締め付けたままで、外蓋体を相対的に回転せしめることにより、蓋体と容器本体の各々の角部を、外観上、一致させることが出来ることが明らかにされている。
【０００６】
しかしながら、かかる公報に開示の眼科用容器にあっても、蓋体として、ネジ固定式のものが採用されているが故に、該蓋体の着脱操作における煩雑さや該蓋体の過度の締付けによるパッキンの摩耗やヘタリ等に伴う液密性の低下等の問題については、依然として、未解決のままであったのである。
【０００７】
【解決課題】
ここにおいて、本発明は、上述の如き事情を背景にして為されたものであって、その解決課題とするところは、蓋体を容器本体に対して簡便に着脱することが出来、しかも蓋体を容器本体に固定する際に、使用者に対して、その固定操作の完了を知らしめて、該容器本体の開口部の閉塞状態が確実に得られたことを明確に認識させ得るようにした眼科用容器の構造を提供することにある。
【０００８】
【解決手段】
そして、本発明にあっては、かかる課題を解決するために少なくとも一つの開口部を有し、内部に所定の液体が収容される容器本体と、有底筒体形状を呈し、その筒状部内に該容器本体の開口部が挿入されて、該開口部を覆蓋する蓋体とを備えた眼科用容器において、前記容器本体の開口部外周面及び前記蓋体の筒状部内周面の何れか一方に、前記容器本体と蓋体とを係合する係合突起と、当接突起とを設ける一方、何れか他方に、開口端から前記挿入方向に延びる導入案内面と、更に該導入案内面の終端より周方向に沿って延びる固定案内面とからなる係止部を設け、前記容器本体の開口部に対する前記蓋体の挿入並びにそれらの相対的回動によって、前記係合突起を該係止部にて案内せしめて、その固定案内面に係合させることにより、該蓋体を固定せしめるようにすると共に、前記係止部の設けられた前記何れか他方の側に、前記挿入方向に延びる所定長さの爪部材を周方向乃至は径方向に撓み得るように設けて、前記相対的回動によって該爪部材が前記当接突起に当接し、そしてその撓み変形によって該当接突起を乗り越えるようにしたことを、その特徴とするものである。
【０００９】
なお、かくの如き本発明に従う眼科用容器の好ましい態様によれば、前記係合突起及び当接突起が前記容器本体の開口部外周面に形成される一方、前記係止部が前記蓋体の筒状部内周面に形成される。
【００１０】
また、かくの如き本発明に従う眼科用容器の好ましい態様によれば、前記係合突起及び前記当接突起が、一つの一体的な共通突起にて構成される。
【００１１】
さらに、本発明の有利な態様においては、かかる共通突起が略Ｔ字形状の平面形態を有し、そのＴ字の頭部が前記係合突起として、またＴ字の脚部が前記当接突起として、それぞれ機能せしめられることとなる。
【００１２】
更にまた、本発明に従う眼科用容器の好ましい態様の一つによれば、該共通突起の略Ｔ字の頭部が、前記相対的回動方向の前方側の角部において面取りされ、構成される。
【００１３】
更にまた、本発明の一つの望ましい態様によれば、前記係止部が、その固定案内面の終端において、前記挿入方向に立ち上がるストッパ面を有し、該ストッパ面に対する前記係合突起若しくは共通突起の当接によって前記容器本体と前記蓋体との間の相対的回動が阻止されるように構成されることとなる。
【００１４】
また、本発明の一つの有利な態様によれば、前記爪部材が音出し用爪部材と節度感用爪部材とから構成され、該音出し用爪部材が、それに対応して設けられた一の当接突起に対して当接して変形し、そしてそれを乗り越えたときに、所定の打音を発生するように構成され、また前記節度感用爪部材が、それに対応して設けられた他の一つの当接突起に対して当接し、変形しつつ、それを乗り越える際に所定の抵抗感を与えるように構成される。
【００１５】
さらに、本発明の一つの好ましい態様においては、前記爪部材が、前記蓋体の底部外面側に取り付けられる固定部と該固定部から一体的に延び、該蓋体の底部を貫通して筒状部内に所定長さ突入せしめられる爪部とから構成される。
【００１６】
更にまた、本発明の一つの望ましい態様によれば、前記爪部材が、前記蓋体の底部外面側に取り付けられるリング状の固定部と、該固定部のリング形状の所定位置からそれぞれ一体的に延び、該蓋体の底部を貫通して筒状部内にそれぞれ所定長さ突入せしめられる音出し用爪部及び節度感用爪部とから構成され、且つかかる音出し用爪部が、それに対応して設けられた一の当接突起に対して当接して変形し、そしてそれを乗り越えたときに、所定の打音を発生するように構成され、また前記節度感用爪部が、それに対応して設けられた他の一つの当接突起に対して当接し、変形しつつ、それを乗り越える際に所定の抵抗感を与えるように構成されることとなる。
【００１７】
また、本発明の一つの有利な態様によれば、前記爪部材が前記蓋体の底部を貫通して筒状部内に嵌入せしめられる補助爪部を更に備え、該補助爪部の筒状部内周面に対する密接により、該爪部材の固定が行なわれるように構成される。
【００１８】
さらに、本発明の一つの好適な態様によれば、前記蓋体が、その底部内側において所定のパッキンを備え、該蓋体の前記容器本体開口部の取付時に該開口部の端面が該パッキンに当接せしめられてシールされるように構成される。
【００１９】
更にまた、本発明の一つの望ましい態様によれば、前記蓋体が、所定のコンタクトレンズを保持して、前記容器本体の開口部から内部に挿入せしめられるレンズ保持手段を備え、該容器本体がコンタクトレンズ収納用として用いられる。
【００２０】
また、本発明の一つの有利な態様においては、前記容器本体が所定長さの筒体形状を呈し、その両端が開口部とされて、それら開口部が前記蓋体にてそれぞれ覆蓋せしめられるように構成される。
【００２１】
更にまた、本発明の一つの好ましい態様によれば、前記容器本体が、前記液体として、所定のコンタクトレンズ用液剤を収容するように構成され、且つ該容器本体の開口部の先端部位が、基部側よりも小径の液体吐出口として構成されることとなる。
【００２２】
また、本発明の望ましい態様によれば、前記容器本体が所定長さの筒体形状を呈し、その一端側が開口部とされて、前記蓋体が取り付けられるように構成されると共に、その他端側に、該容器本体の容器壁の一部を構成する状態で配され、押圧操作による変形と弾性材料の弾性力に基づく原形状への復元による変形とによって、該容器本体の内容積を可逆的に増減変化させる吐出操作手段が設けられる。
【００２３】
【作用・効果】
このような本発明に従う眼科用容器にあっては、蓋体が、容器本体の開口部に挿入されて、該容器本体に対して相対的に回動せしめられることによって、該蓋体の筒状部内周面若しくは該容器本体の開口部外周面の何れか一方に設けられた係合突起が、それらの何れか他方に設けられた係止部に係合せしめられて、該蓋体が容器本体に固定されるようになっているところから、かかる蓋体の容器本体への取付け、固定操作が、挿入、回動といった一連のワンタッチの操作で、確実に行なわれ得るのであり、しかも、そのような蓋体の取付け、固定操作の実施時において、容器本体に対する蓋体の相対的回動操作が行なわれる際に、前記係止部が設けられる他方の側に設けられた爪部材が、所定の当接突起に当接し、そして撓み変形せしめられつつ、該当接突起を乗り越えるようになっているが故に、かかる爪部材における当接突起の乗り越え時の抵抗や乗り越え後の戻り変形に伴う反動作用によって、蓋体の容器本体への取付け、固定操作の完了を、使用者に対して、明確に知らしめることが出来るのである。
【００２４】
従って、かかる眼科用容器においては、蓋体の容器本体への着脱が、従来のものに比して、極めて簡便に行なわれ得て、容器本体の開口部の開閉操作における操作性が飛躍的に高められ得るのであり、しかも蓋体を容器本体に取付け、固定する際に、容器本体の開口部の閉塞状態が確実に得られたことが、使用者に対して明確に認識せしめられ得、それによって、蓋体が容器本体に対して常に適度な締付け乃至は押圧状態をもって固定され得ることとなり、以てそれら蓋体と容器本体の開口部との間に設けられるパッキンに摩耗やヘタリが生じることなく、液密性が十分に確保された良好な使用状態が、より長期にわたって維持され得ることとなるのである。
【００２５】
また、本発明において、前記係合突起及び当接突起を容器本体の開口部外周面に形成する一方、前記係止部を蓋体の筒状部内周面に形成すれば、所定の長さを有し且つ撓み変形可能とされた前記爪部材が該蓋体の筒状部内周面に設けられることとなり、それによって、該爪部材が外部に露出せしめられるようなことが有利に回避され得て、容器本体から蓋体を取り外した状態において、該爪部材が他部材に引っ掛かる等して損傷してしまうようなことが効果的に防止され得るのである。
【００２６】
さらに、本発明において、前記係合突起及び当接突起を、一つの一体的な共通突起にて構成することによって、それら係合突起及び当接突起の配置設計が容易となる。
【００２７】
更にまた、本発明において、かかる共通突起を略Ｔ字形状の平面形態となるように構成し、そのＴ字の頭部が前記係合突起として、またＴ字の脚部が前記当接突起として、それぞれ、機能せしめられるようにすることによって、該共通突起が、容器本体に対する蓋体の相対的回動方向において、広幅の係合突起と狭幅の当接突起とにて構成され得ることとなり、以て該係合突起と前記係止部との係合が十分に確保され得ると共に、該当接突起に当接し、撓み変形せしめられる前記爪部材が過度に変形せしめられて、損傷してしまうようなことが有効に防止され得るのである。
【００２８】
更にまた、本発明において、該共通突起の略Ｔ字の頭部を、前記相対的回動方向の前方側の角部において面取りすることによって、前記係止部が、前記係合突起を構成する共通突起の略Ｔ字の頭部において、該相対的回動方向の前方側から後方側に向かってスムーズに案内され得て、それら係合突起と係止部との係合が容易且つ確実に行なわれ得ることとなる。
【００２９】
また、本発明において、前記係止部に、その固定案内面の終端において、前記挿入方向に立ち上がるストッパ面を設け、該ストッパ面に対する前記係合突起若しくは共通突起の当接によって前記容器本体と前記蓋体との間の相対的回動が阻止されるようにすれば、該蓋体の該容器本体に対する相対的回動操作の完了と同時に衝突感が得られ、それによって、使用者に対して、かかる相対的回動操作の完了、ひいては該蓋体の該容器本体への固定操作の完了をより明確に知らしめることが可能となるのである。
【００３０】
さらに、本発明において、前記爪部材を音出し用爪部材と節度感用爪部材とにて構成し、該音出し用爪部材を、それに対応して設けられた一の当接突起に対して当接して変形し、そしてそれを乗り越えたときに、所定の打音を発生するように構成する一方、前記節度感用爪部材を、それに対応して設けられた他の一つの当接突起に対して当接し、変形しつつ、それを乗り越える際に所定の抵抗感を与えるように構成することによって、蓋体の容器本体に対する固定操作の完了時に、それらの打音と抵抗感とが生ぜしめられ得ることとなり、以て該容器本体の開口部が確実に閉塞状態となったことが、使用者において、音と感触により、更に明確に認識され得るのである。
【００３１】
更にまた、本発明において、前記爪部材を、前記蓋体の底部外面側に取り付けられる固定部と該固定部から一体的に延び、該蓋体の底部を貫通して筒状部内に所定長さ突入せしめられる爪部とにて構成することによって、該爪部材の取付けが容易に行なわれ得ることとなる。
【００３２】
また、本発明において、前記爪部材を、前記蓋体の底部外面側に取り付けられるリング状の固定部と、該固定部のリング形状の所定位置からそれぞれ一体的に延び、該蓋体の底部を貫通して筒状部内にそれぞれ所定長さ突入せしめられる音出し用爪部及び節度感用爪部とにて構成し、該音出し用爪部を、それに対応して設けられた一の当接突起に対して当接して変形し、そしてそれを乗り越えたときに、所定の打音を発生するように構成する一方、前記節度感用爪部を、それに対応して設けられた他の一つの当接突起に対して当接し、変形しつつ、それを乗り越える際に所定の抵抗感を与えるように構成することによって、使用者に対して、容器本体の開口部が確実に閉塞状態となったことを、音と感触によってそれぞれ明確に知らしめることの出来る別個の部材が１個の部材にて構成され得て、部品点数が有利に減少せしめられ得、以て該爪部材の取付け工程の簡素化が効果的に図られ得るのである。
【００３３】
さらに、本発明において、前記爪部材に前記蓋体の底部を貫通して筒状部内に嵌入せしめられる補助爪部を更に具備せしめ、該補助爪部の筒状部内周面に対する密接により、該爪部材の固定が行なわれるように構成することによって、特別な部材乃至は部品を用いなくとも、該爪部材を該蓋体に対して、容易且つ確実に固定することが出来るのである。
【００３４】
更にまた、本発明において、前記蓋体に、その底部内側において所定のパッキンを具備せしめ、該蓋体の前記容器本体開口部の取付け時に該開口部の端面が該パッキンに当接せしめられてシールされるように構成することによって、該容器本体の開口部の閉塞状態における液密性が効果的に向上され得ることとなる。
【００３５】
【実施例】
以下、本発明を更に具体的に明らかにするために、本発明の幾つかの実施例について、図面を参照しつつ、詳細に説明することとする。
【００３６】
先ず、図１には、本発明をコンタクトレンズ収納容器に適用したものの一例が概略的に示されている。かかる図からも明らかなように、コンタクトレンズ収納容器１０は、容器本体１２と該容器本体１２の両端部に取り付けられる２つの蓋体１４，１４とを備え、略四角柱状の外形形状をもって、構成されている。
【００３７】
より具体的には、このコンタクトレンズ収納容器１０を構成する容器本体１２は、従来と同様に、無色透明の合成樹脂材料よりなり、図２及び図３に示される如く、全体として、所定長さの筒体形状を呈している。また、かかる容器本体１２にあっては、その両端部が他の部位よりも薄肉化された開口部１６，１６とされている一方、その軸方向の略中央部に、内部を軸直方向に２つに分ける仕切り１８が一体的に形成されており、それによって、その内部に、それぞれ、開口部１６，１６にて外方に開口せしめられた収納部２０，２０が画成されている。なお、２２は、２つの収納部２０，２０を互いに連通せしめる連通孔であり、後述する如く、それら２つの収納部２０，２０内にコンタクトレンズと共に収容されるコンタクトレンズ保存液が、該２つの収納部２０，２０の間を自由に流動せしめられ得るようにするためのものである。
【００３８】
また、そのような容器本体１２にあっては、特に容器本体１２の各開口部１６の外周面において、該容器本体１２の１組の対向する角部に対応する位置に、径方向外方に所定高さ突出する共通突起２４，２４が、それぞれ一体的に設けられている。この共通突起２４は、該容器本体１２の軸方向において縦長の当接突起２６と横長の係合突起２８とが、平面略Ｔ字形状となるように一体化せしめられることによって、構成されており、該Ｔ字の脚部を構成する当接突起２６が、容器本体１２の開口方向側において、該容器本体１２の軸方向に沿って延びるように、また該Ｔ字の頭部を構成する係合突起２８が、該開口方向とは反対方向の側において、該容器本体１２の周方向に沿って延びるように、それぞれ形成されている。また、かかる共通突起２４にあっては、係合突起２８において、当接突起２６が一体化せしめられる側とは反対側における所定方向の角部が面取りされている。即ち、該共通突起２４の係合突起２８にあっては、当接突起２６側とは反対の側において、後述する容器本体１２の開口部１６，１６への各蓋体１４の固定操作に際して、該蓋体１４に対して該容器本体１２を相対的に回動せしめる方向の前方側（図３中、上側の開口部１６においては右下側、下側の開口部１６においては左上側）が、湾曲面とされているのである。
【００３９】
一方、そのような容器本体１２の両端部に取り付けられる各蓋体１４は、図４に示される如く、それぞれ合成樹脂材料からなる、キャップ本体３０と、爪部材３２と、レンズ保持手段としてのレンズホルダ３４と、所定の弾性材料よりなるパッキン３６とを備え、該キャップ本体３０に対して、それらの部材が組み付けられることによって、構成されている。
【００４０】
すなわち、図５及び図６から明らかなように、蓋体１４を構成するキャップ本体３０は、略長手矩形状の有底筒体形状を呈しており、その底部３８における内面側の略中央部には、リング状突起４０が一体的に形成せしめられている。そして、かかるキャップ本体３０のリング状突起４０に対して、レンズホルダ３４が、その基部部位において内挿されて、固定されていると共に、パッキン３６が外挿されて、取り付けられている（図８参照）。かくして、各蓋体１４に対して、左右のコンタクトレンズがそれぞれ別個に保持せしめられ得るようになっていると共に、各蓋体１４の容器本体１２への取付け時に、それら各蓋体１４と容器本体１２との間がシールされ得るようになっているのである。なお、かかるレンズホルダ３４にあっては、保持せしめられるコンタクトレンズが容器本体１２の外部から明確に視認し得るように、各蓋体１４が容器本体１２に固定された際に、かかるコンタクトレンズが容器本体１２の平面部に配置されるように、各蓋体１４に取り付けられている。
【００４１】
また、図４乃至６に示されているように、このキャップ本体３０における底部３８の外面側は、略リング形状をもって凹陥せしめられており、それによって、その略中央部に、外方に向かって所定高さ突出する円形状突起４２が形成されている。更に、かかるキャップ本体３０の底部３８において、該円形突起４２を挟んだ、該底部３８の長手方向の両側には、透孔４４，４４が設けられている。この透孔４４，４４は、該底部３８の短手方向に延び、且つその略中央部に、該円形突起４２側とは反対側に向かって凸となる段差が設けられて、かかる部位が拡幅された形態をもって、構成されている。
【００４２】
さらに、このキャップ本体３０における筒壁部４５の内周部には、該底部３８に設けられる透孔４４，４４に対応する位置に、２条のガイド溝４６，４６が、該キャップ本体３０の開口部に向かって軸方向に延びるようにそれぞれ形成されている。そして、このガイド溝４６は、該透孔４４と略同様な段付き形状を呈しており、その幅方向の略中央部が深底部４７とされ、またその両端部がそれぞれ浅底部４９ａ，４９ｂとされている。なお、それら浅底部４９ａ，４９ｂにあっては、その深さが、前記共通突起２４の高さよりも所定寸法大きくなるように構成されている。
【００４３】
一方、そのようなキャップ本体３０に組み付けられる爪部材３２は、固定部４８と爪部５０とから成っている。そして、この爪部材３２を構成する固定部４８は、その中央部に、前記キャップ本体３０の底部３８に設けられた円形状突起４２に対応する通孔５２を有しており、全体として、該底部３８の外面側の凹陥形状に対応した略リング形状をもって成っている。
【００４４】
また、爪部５０は、音出し用ピン５４と、節度感用ピン５６と、それらよりも所定寸法短い４本の補助ピン５８，６０，６２，６４との、合計６本のピンより成り、それら６本のピンが、固定部４８の厚さ方向一方の側に向かって所定高さ延びるように、一体的に立設せしめられて、構成されている。そして、それらの６本のピンにあっては、図７に示されている如く、音出し用ピン５４と補助ピン５８，６０とが、また節度感用ピン５６と補助ピン６２，６４とが、それぞれ別個に組を為し、それらの各組が、該固定部４８の通孔５０を挟んで、長手方向に互いに対向するように配されていると共に、各組において、補助ピン５８，６０及び補助ピン６２，６４が、音出し用ピン５４及び節度感用ピン５６を各々挟むように位置せしめられている。
【００４５】
そして、かくの如く構成された爪部材３２において、固定部４８が、その通孔５２において、前記キャップ本体３０の底部３８に設けられた円形状突起４２に外嵌せしめられている一方（図８参照）、爪部５０を構成する前記２組のピン（５４，５８，６０及び５６，６２，６４）が、前記キャップ本体３０の底部３８における透孔４４，４４に各々挿通せしめられて、該キャップ本体３０の筒壁部４５に設けられるガイド溝４６，４６内に、それぞれ収容せしめられ、図５において仮想線で示される如く、各補助ピン５８，６０，６２，６４が各浅底部４９ａ，４９ｂに、また音出し用ピン５４と節度感用ピン５６が各深底部４７に、それぞれ位置せしめられている。これにより、爪部材３２が、その固定部４８において、蓋体１４の底部外面側に取り付けられていると共に、爪部５０において、該蓋体１４の底部を貫通して、筒状部内に突入せしめられているのである。
【００４６】
なお、ここでは、そのような爪部５０を構成する２組の補助ピン５６，５８及び６０，６２における各組の互いの対向方向の幅が、キャップ本体３０の各透孔４４における狭幅の両側端部部位の幅（即ち、各ガイド溝４６の浅底部４９ａ，４９ｂの深さ）と略同一寸法となるように構成されており、また、音出し用ピン５４が、節度感用ピン５６との対向方向の厚さよりも、該音出し用ピン５４と組を為す補助ピン５８，６０との配列方向の厚さの方が薄くなるように、更に節度感用ピン５６が、音出し用ピン５４との対向方向の厚さよりも、補助ピン６２，６４との配列方向の厚さの方が厚くなるように、それぞれ構成され、更にまた、音出し用ピン５４よりも節度感用ピン５６の方が所定寸法長くなるように構成されている。
【００４７】
これによって、爪部材３２がキャップ本体３０に組み付けられた際、爪部５０の２組の補助ピン５６，５８及び６０，６２が、キャップ本体３０の透孔４４，４４にそれぞれ圧入されるように嵌入せしめられて、該爪部材３２がキャップ本体３０に対して、より強固に固定され得るようになっていると共に、かかる組付け状態下において、音出し用ピン５４が、各組の配列方向、即ちキャップ本体３０の周方向に、また節度感用ピン５６が、かかる音出し用ピン５４との対向方向、即ちキャップ本体３０の径方向に、それぞれ容易に撓み得るようになっているのである。
【００４８】
そして、図５及び図６に示されているように、本実施例にあっては、特にかかるキャップ本体３０の筒壁部４５の内周部において、前記ガイド溝４６，４６の開口端に、係止部６６が一体的に設けられている。この係止部６６は、該ガイド溝４６の形成方向、即ちキャップ本体３０の軸方向に沿って延びる導入案内面６８と、該導入案内面６８の終端から、該ガイド溝４６を横切る方向、即ちキャップ本体３０の周方向に沿って延びる固定案内面７０とから構成されて、前記ガイド溝４６の深底部４７と一端側の浅底部４９ａのそれぞれの開口端を閉塞するように、形成されている。
【００４９】
なお、これによって、該ガイド溝４６における浅底部４９ａの側壁部７２が、係止部６６の固定案内面７０の終端において、各蓋体１４の軸方向、即ち容器本体１２の各蓋体１４への挿入方向に立ち上がるストッパ面として構成され、前記共通突起２４の係合突起２８の該側壁部７２への当接によって、後述する如き各蓋体１４に対する容器本体１２の相対的回動が阻止され得るようになっているのであり、またかかる係合突起２８の側壁部７２への当接状態において、各蓋体１４の角部と容器本体１２の角部が一致するように、該側壁部７２の形成位置が配慮されている。
【００５０】
かくして、かくの如き構造とされた２つの蓋体１４，１４と前記容器本体１２とから成るコンタクトレンズ収納容器１０にあっては、各蓋体１４のキャップ本体３０に設けられるガイド溝４６，４６において、前記係止部６６により閉塞せしめられていない他端側の浅底部４９ｂ，４９ｂ内に対して、前記容器本体１２の開口部１６，１６の外周部に設けられる共通突起２４，２４が収容せしめられるように、該容器本体１２の各開口部１６を各蓋体１４の内側に挿入せしめることにより、各共通突起２４の前記係合突起２８が、前記係止部６６の導入案内面６８に案内されて、該導入案内面６８の終端部に導かれ、そしてかかる状態において、該ガイド溝４６，４６の前記一端側の浅底部４９の側壁部７２に各共通突起２４の係合突起２８が当接して、阻止されるまで、蓋体１４に対して容器本体１２を相対的に回動せしめることにより、各共通突起２４の係合突起２８が、前記係止部６６の固定案内面７０に案内されて、図８に示される如く、該係合突起２８の下面と該固定案内面７０とが係合せしめられることとなる。
【００５１】
また、かかるコンタクトレンズ収納容器１０においては、図９乃至１１に示される如く、各蓋体１４の内側への容器本体１２の各開口部１６の挿入により、各蓋体１４内に突入せしめられるように配された音出し用ピン５４及び節度感用ピン５６が、各共通突起２４に対して、各蓋体１４に対する容器本体１２（具体的には開口部１６）の相対的回動方向（図中矢印方向）の前方側に位置せしめられ、また、かかる各蓋体１４に対する容器本体１２の相対的な回動の進行に伴って、各共通突起２４の当接突起２６に当接せしめられ、そして音出し用ピン５４にあっては、該回動方向、即ち蓋体１４の周方向に、また節度感用ピン５６においては、該回動方向に交差する方向、即ち蓋体１４の径方向に、それぞれ撓み変形せしめられ、更に各蓋体１４に対する容器本体１２の相対的回動の完了によって、該当接突起２６を乗り越えて、各共通突起２４に対して、容器本体１２の相対的回動方向の後方側に位置せしめられる。そして、その際、それら２つのピン５４，５６にあっては、該当接突起２６の乗り越えたときの戻り変形によって、音出し用ピン５４において所定の打音が、また節度感用ピン５６において所定の節度感が、それぞれ生ぜしめられることとなる。しかも、かかるコンタクトレンズ収納容器１０にあっては、音出し用ピン５４が全体として平板形状となるように、また節度感用ピン５６が該音出し用ピン５４との対向する側の角部が全長にわたって面取りされて、略蒲鉾形形状となるように、それぞれ構成されており、それによって、当接突起２６の乗り越え時において、音出し用ピン５４が該当接突起２６に引っ掛かって、より良好な打音が生ぜしめられ得るように、また節度感用ピン５６が、該当接突起２６に引っ掛かることなく、より良好に乗り越えられ得るようになっている。
【００５２】
それ故、かかるコンタクトレンズ収納容器１０においては、蓋体１４，１４の内側に容器本体１２の開口部１６，１６をそれぞれ挿入せしめて、それらを相対的に回動せしめるといったワンタッチの操作を行なうだけで、蓋体１４，１４の角部が容器本体１２の角部に一致せしめられつつ、蓋体１４，１４が容器本体１２の開口部１６，１６に固定せしめられて、各開口部１６が、各蓋体１４により覆蓋せしめられ、以て前記容器本体１２の各収納部２０内に、左右のコンタクトレンズが、各蓋体１４のレンズホルダ３４にてそれぞれ保持せしめられた状態で、コンタクトレンズ保存液等と共に収納され得るようになっているのであり、しかもその際、各蓋体１４の容器本体１２の各開口部１６への固定操作の完了が、所定の打音と節度感とによって、使用者に対して、明確に知らしめることが可能となっているのである。また、かくして容器本体１２内に収納されたコンタクトレンズを取り出す際にも、各蓋体１４と容器本体１２とを固定時とは逆の相対的回動を行なうだけで、各蓋体１４が容器本体１２の各開口部１６から簡単に取り外され得て、コンタクトレンズが容易に取り出され得ることとなる。
【００５３】
従って、本実施例に係るコンタクトレンズ収納容器１０にあっては、各蓋体１４の容器本体１２に対する着脱が極めて簡便に行なわれ得るのであり、しかも各蓋体１４を容器本体１２に固定する際に、容器本体１２の各開口部１６の閉塞状態が確実に得られたことを、使用者に対して明確に認識させることが出来るのである。
【００５４】
また、かかるコンタクトレンズ収納容器１０においては、爪部材３２を構成する爪部５０が各蓋体１４の内側に突入するように設けられていることから、該爪部５０が外面側に露出せしめられるようなことがなく、各蓋体１４の外観が有利に整えられていると共に、該爪部５０の破損等が可及的に抑制され得るようになっている。
【００５５】
さらに、かかるコンタクトレンズ収納容器１０にあっては、容器本体１２の各開口部１６の外周面に、２つの共通突起２４が、当接突起２６と係合突起２８とにより、平面略Ｔ字形状をもって形成されて、係合突起２８が容器本体１２の周方向において広幅となるように、また当接突起２６がかかる方向において狭幅となるように構成されていることから、該係合突起２８と係止部６６の固定案内面７０との係合が十分に確保され得ると共に、該当接突起２６に当接し、特に該周方向に撓み変形せしめられる音出し用ピン５４が過度に変形せしめられて、損傷してしまうようなことが有効に防止され得るようになっている。
【００５６】
更にまた、かかるコンタクトレンズ収納容器１０にあっては、共通突起２４の係合突起２８において、各蓋体１４の容器本体１２への固定時における該容器本体１２の各蓋体１４に対する相対的回動方向の前方側が湾曲面とされていると共に、係止部６６において、導入案内面６８と固定案内面７０とが交差する角部が面取りされていることから、各蓋体１４が容器本体１２に固定せしめられる際に、該係合突起２８が該係止部６６の固定案内面７０にスムーズに案内され得て、それら係合突起２８と固定案内面７０との係合が、容易且つ確実に行なわれ得るのである。
【００５７】
また、本実施例に係るコンタクトレンズ収納容器１０においては、蓋体１４を構成するキャップ本体３０に設けられた各ガイド溝４６の浅底部４９ａにおける筒壁部７２が、各蓋体１４の容器本体１２への固定時における該容器本体１２の各蓋体１４に対する相対的回動を阻止するストッパ面として、機能せしめられるようになっていることから、使用者に対して、かかる相対的回動操作の完了、即ち各蓋体１４の容器本体１２への固定操作の完了がより明確に認識され得るようになっている。
【００５８】
さらに、かかるコンタクトレンズ収納容器１０にあっては、爪部材３２が、蓋体１４に対する取付部位たる固定部４８と当接突起２６に対して当接せしめられる音出し用ピン５４と節度感用ピン５６とを含む爪部５０とが一体品として構成されていることから、それらをそれぞれ別部材として構成する場合に比して、部品点数が有利に減少せしめられ得て、該爪部材３２の組み付け工程、ひいてはコンタクトレンズ収納容器１０自体の製作工程の簡略化が効果的に図られ得るのである。
【００５９】
更にまた、かかるコンタクトレンズ収納容器１０においては、各蓋体１４にパッキン３６が設けられて、各蓋体１４と容器本体１２の各開口部１６との間がシールされるようになっていることから、該容器本体１２の各蓋体１４による覆蓋状態における液密性が有効に確保され得るようになっているのであり、しかも前述の如く、容器本体１２の各開口部１６の閉塞状態が確実に得られたことを使用者に対して明確に知らしめることが可能となっていることから、各蓋体１４が容器本体１２に対して過度に締付け乃至は押圧せしめられるようなことが有効に回避されされ得て、そのようなパッキン３６の摩耗やヘタリによる液密性の低下が効果的に抑制され得るのである。
【００６０】
次に、図１２乃至１６には、本発明の別の実施例としてのコンタクトレンズ用液剤容器が概略的に示されている。ここにおいて、本実施例は、前記第１の実施例に示されたコンタクトレンズ収容容器に対して、容器本体の構造に関する別の実施例を示すものである。従って、本実施例のコンタクトレンズ用液剤容器においては、かかる構造以外の部分については、前記第１の実施例と同一の構造が採用されている。それ故、図１２乃至１６においては、前記第１の実施例と同様な構造とされた部材及び部位については、図中、それぞれ第１の実施例と同一の符号を付すことにより、その詳細な説明は省略することとする。
【００６１】
すなわち、本実施例におけるコンタクトレンズ用液剤容器７４は、図１２に示されているように、容器本体７６と、該容器本体７６の一端側に取り付けられる蓋体１４と、その他端側に設けられた吐出操作手段７７とから成っている。
【００６２】
また、このコンタクトレンズ用液剤容器７４を構成する容器本体７６は、硬質の合成樹脂材料より成り、全体として、略筒体形状をもって構成されている。そして、かかる容器本体７６にあっては、その内部がコンタクトレンズ洗浄液やコンタクトレンズ消毒液等のコンタクトレンズ用液剤が収容せしめられる収容部７５とされている一方、その両端部が他の部位よりも薄肉化された開口部１６，１６とされている。また、図１３及び図１４からも明らかなように、この容器本体７６の一端側の開口部１６にあっては、その先端部位が、基部側よりも小径の液剤吐出口７８とされており、更に該基部の外周面上に、前記第１の実施例と同様に、平面略Ｔ字形状を呈し、該Ｔ字の脚部が当接突起２６、その頭部が係合突起２８とされた共通突起２４，２４が一体的に形成されている。
【００６３】
一方、そのような容器本体７６の一端側に取り付けられる蓋体１４は、図１５に示される如く、それぞれ合成樹脂材料からなり、前記第１の実施例と同様な構造とされたキャップ本体３０と爪部材３２と、所定の弾性材料よりなるパッキン８０とを備えている。そして、該爪部材３２が、該キャップ本体３０に対して、前記第１の実施例と同様にして取り付けられている。また、パッキン８０は、円板形状を呈し、該キャップ本体３０の底部３８の内周部に設けられたリング状突起４０の内孔内に、嵌入せしめられて、固定されている（図１２参照）。
【００６４】
さらに、容器本体７６の他端側に設けられる吐出操作手段７７は、図１２及び図１６からも明らかなように、所定の弾性材料から成る押圧操作部材８２と、合成樹脂材料より成る固定部材８４とを備えている。また、かかる押圧操作部材８２は、全体として略矩形平板形状を呈し、その略中央部に操作突部８６を有している。一方、固定部材８４にあっては、全体として略有底筒体形状を呈し、その筒壁部の内外周面において、前記容器本体７６の他端側の開口部１６に設けられた突条８７と複数の突出部８８に対応する位置に、係合溝９０と複数の係合凹所９２が形成されており、またその底部において、前記押圧操作部材８２の操作突部８６に対応する位置に、該操作突部８６の外径と略同一の径を有する貫通孔９４が設けられている。
【００６５】
また、そのような吐出操作手段７７においては、押圧操作部材８２の操作突部８６が固定部材８４の貫通孔９４から外方に突出するように、押圧操作部材８２が固定部材８４の内側に配されて、構成されており、そして、前記突条８７及び突出部８８に対する前記係合溝９０及び係合凹所９２の係合により、固定部材８４が、容器本体７６の他端側の開口部１６に対して、着脱可能に嵌合、固定されていると共に、押圧操作部材８２が、その周縁部において、該固定部材８４の底部と該開口部１６の先端面と間で挟持せしめられている。
【００６６】
かくして、かかる吐出操作手段７７にあっては、容器本体７６の他端側の開口部１６を気密且つ液密に閉塞する状態で、換言すれば、容器本体７６の容器壁の一部を構成する状態で、該容器本体１２の他端側に配されているのであり、また、それによって、固定部材８４の貫通孔９４を通じて外方に突出せしめられた、押圧操作部材８２の操作突部８６における押圧操作による変形と弾性力に基づく戻り変形とに応じて、該容器本体７６の内容積が可逆的に増減変化され得るようになっているのである。
【００６７】
それ故、本実施例に係るコンタクトレンズ用液剤容器７４にあっては、容器本体７６の他端側の開口部１６に設けられた吐出操作手段７７の操作突部８６を押圧操作することによって、前記収容部７５内に収容せしめられたコンタクトレンズ用液剤が、前記液剤吐出口７８から、所定量だけ、吐出せしめられ得るようになっているのであり、また、そのような液剤吐出口７８が設けられる容器本体７６の一端側の開口部１６に対して、前記蓋体１４を挿入し、該蓋体１４に対して該容器本体７６を相対的に回動せしめるだけで、該蓋体１４に設けられる前記係止部６６の固定案内面と、該開口部１６に形成される共通突起２４の係合突起２８とが係合して、該開口部１６、即ち液剤吐出口７８が確実に覆蓋せしめられ得、しかも、かかる相対的回動操作の終了時に、該蓋体１４に設けられる爪部材３２の音出し用ピン５４及び節度感用ピン５６が、該開口部１６に形成される共通突起２４の当接突起２６に当接し、そしてこれを乗り越えることによって、所定の打音と節度感とが生ぜしめられ得るようになっているのである。
【００６８】
従って、本実施例にあっても、前記第１の実施例と同様な効果が有効に享受され得ることとなるのである。
【００６９】
以上、本発明の幾つかの実施例について詳述してきたが、それらは文字通りの例示であって、本発明は、そのような例示のものにのみ限定して、解釈されるものでは決してない。
【００７０】
例えば、前記実施例では、容器本体１２，７６の軸方向に対して、縦長の当接突起２６と横長の係合突起２８とが、平面略Ｔ字形状を呈する、一つの一体的な共通突起２４として構成されて、容器本体１２，７６における各開口部１６の外周面に、それぞれ２つずつ形成されていたが、そのような当接突起と係合突起、更にはそれらの突起にて構成される共通突起の形状及び設置個数は、何等これに限定されるものでなく、また当接突起と係合突起とを別体にて構成することも、勿論、可能である。
【００７１】
また、かかる係合突起に係合せしめられる係止部にあっても、その形状及び設置個数が前記実施例における如きものに決して限定されるものではなく、該係止部に係合せしめられる係合突起の形状や設置個数等に応じて、適宜に変更され得るものである。
【００７２】
さらに、前記実施例では、当接突起２６及び係合突起２８が容器本体１２，７６における各開口部１６の外周面に形成されている一方、該当接突起２６に当接して、撓み変形せしめられる爪部材３２と該係合突起２８に係合せしめられる係止部６６とが、各蓋体１４の筒状部内周面に設けられていたが、それとは逆に、それら当接突起及び係合突起を蓋体の筒状部内周面に、また係止部及び爪部材を容器本体の開口部外周面にそれぞれ設けるようにしても、何等差し支えない。
【００７３】
更にまた、前記実施例では、爪部材３２が固定部４８と爪部５０とから構成され、該固定部４８において各蓋体１４に取り付けられるようになっている一方、爪部５０において当接突起２６に当接し、そしてこれを乗り越えるようになっていたが、そのような爪部材の構造及び設置形態は、何等これに限定されるものではなく、かかる固定部を設けずに、爪部のみにて爪部材を構成して、該爪部材を蓋体の筒状部内周面若しくは容器本体の開口部外周面に直接に取り付けるようにしても良い。また、かかる爪部材の形状や設置個数も、前記実施例における如きものに決して限定されるものでないことは、言うまでもないところである。
【００７４】
更にまた、前記実施例では、かかる爪部材３２を構成する爪部５０に、音出し用ピン５４と節度感用ピン５６とが設けられて、それらがそれぞれ、音出し用爪部及び節度感用爪部として機能せしめられていたが、かかる爪部に対して、音出し用爪部と節度感用爪部の両機能を兼ね備えたものを設けるようにすることも可能である。なお、前記実施例においては、かかる爪部５０に、補助爪部としての補助ピン５８，６０，６２，６４が更に設けられていたが、それらの補助爪部は、本発明において必須のものではない。
【００７５】
また、前記実施例では、容器本体１２，７６及び蓋対１４が、角形形状とされていたが、それらが円筒状のものであっても、何等差支えない。
【００７６】
また、前記実施例では、容器本体１２，７６、キャップ本体３０、爪部材３２、レンズホルダ３４及び固定部材８４が所定の合成樹脂材料から構成されている一方、パッキン３６，８０及び押圧操作部材８２が所定の弾性材料から成っていたが、それらの部材を与える材料の種類は特に限定されるものではなく、容器本体内に収容せしめられる液体と反応しない材料の中から、各部材における必要特性に応じて、適宜に選択、採用され得るものである。従って、その点からして、容器本体１２，７６を与えるものとしては、ポリカーボート、アクリル樹脂、ポリスチレン、環状オレフィンコポリマー等が、またキャップ本体３０を構成するものとしては、ポリアセタール、ポリカーボネート、ポリスチレン、ナイロン樹脂、アクリル樹脂、ＡＢＳ樹脂等が、更に爪部材３２を与えるものとしては、ポリアセタール、ナイロン樹脂等が、更にまたレンズホルダ３４には、ポリプロピレン、ポリエチレン等が、更にまた固定部材８４を構成するものとしては、ポリプロピレン、ポリエチレン、ポリカーボネート、ＡＢＳ樹脂等が、またパッキン３６，８０には、シリコンゴム、ブチルゴム、発泡ポリエチレン等が、さらに押圧操作部材を与えるものとしては、シリコンゴム、ブチルゴム等が、それぞれ、好適に用いられ得ることとなる。
【００７７】
さらに、前記第１の実施例では、容器本体１２の内部を２つに分ける仕切り１８が設けられて、該容器本体１２の内部に、収納部２０，２０が画成されていると共に、該仕切り１８に対して連通孔２２が形成されて、それら収納部２０，２０が互いに連通せしめられていたが、容器本体の内部構造は、決してこれに限定されるものではなく、そのような仕切りに対して、連通孔を２個以上設けても、或いは全く設けなくても良いのであり、またかかる仕切りを形成することなく、容器本体内部を１つの収納部として構成しても、何等差し支えないのである。
【００７８】
更にまた、前記第２の実施例では、押圧操作による弾性変形作用によって、容器本体７６の内容積を可逆的に増減変化させる吐出操作手段７７が、操作突部８６を備えた押圧操作部材８２と、該押圧操作部材８２を容器本体７６に固定する固定部材８４との、２つの部材にて構成されていたが、かかる吐出操作手段の構造は、何等これに限定されるものではなく、例えば、弾性変形可能な薄肉部を有する押圧操作部材と固定部材とが一体化せしめられて成る一つの部材にて、構成することも、勿論、可能である。
【００７９】
加えて、前記実施例では、コンタクトレンズ収納容器１０及びコンタクトレンズ用液剤容器７４に対して、本発明を適用したものの具体例を示したが、本発明は、その他、目薬容器等の眼科用容器に対しても有利に適用され得ることは、勿論である。
【００８０】
その他、一々列挙はしないが、本発明が、当業者の知識に基づいて、種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【図１】本発明に従う眼科用容器の一例を示す斜視説明図である。
【図２】図１に示される眼科用容器における容器本体の平面説明図である。
【図３】図２における、一部切欠きＡ矢視説明図である。
【図４】図１に示される眼科用容器に用いられる蓋体の分解斜視説明図である。
【図５】図４に示される蓋体の構成部材の一つたるキャップ本体の底面説明図である。
【図６】図５におけるＢ−Ｂ断面説明図である。
【図７】図４に示される蓋体の別の構成部材たる爪部材の底面説明図である。
【図８】図１におけるＣ−Ｃ拡大断面説明図である。
【図９】図１に示される眼科用容器において、蓋体を容器本体へ固定する際における、爪部材を構成する音出し用爪部及び節度感用爪部の挙動とそれらの撓み変形を示す説明図である。
【図１０】図９におけるＤ矢視説明図である。
【図１１】図９におけるＥ矢視説明図である。
【図１２】本発明に従う眼科用容器の別の例を示す要部縦断面説明図である。
【図１３】図１２に示される眼科用容器の図２に対応する図である。
【図１４】図１３におけるＦ部分矢視説明図である。
【図１５】図１２に示される眼科用容器に用いられる蓋体の図４に対応する図である。
【図１６】図１２に示される眼科用容器の下部側の構造を示す要部斜視説明図である。
【符号の説明】
１０  コンタクトレンズ収納容器      １２，７６  容器本体
１４  蓋体                          １６  開口部
２４  共通突起                      ２６  当接突起
２８  係合突起                      ３２  爪部材
４８  固定部                        ５０  爪部
５４  音出し用ピン                  ５６  節度感用ピン
６６  係止部                        ６８  導入案内面
７０  固定案内面                    ７４  コンタクトレンズ用液剤容器
７７  吐出操作手段                  ７８  液剤吐出口
【図１】
0003789948.tif 000002
【図２】
0003789948.tif 000003
【図３】
0003789948.tif 000004
【図４】
0003789948.tif 000005
【図５】
0003789948.tif 000006
【図６】
0003789948.tif 000007
【図７】
0003789948.tif 000008
【図８】
0003789948.tif 000009
【図９】
0003789948.tif 000010
【図１０】
0003789948.tif 000011
【図１１】
0003789948.tif 000012
【図１２】
0003789948.tif 000013
【図１３】
0003789948.tif 000014
【図１４】
0003789948.tif 000015
【図１５】
0003789948.tif 000016
【図１６】
0003789948.tif 000017